(57)【要約】      （修正有）【課題】着用者の体重等が極端に爪先方向に移動及び集中しないよう、その根本的解決を図るために着用者の重心位置に着目して改善するもので、それによって滑り防止が図られ、結果として着用者の外反母趾等の骨格変形、血行障害、腰痛の予防あるいは改善、及びアキレス腱の保護を図る。【解決手段】Ｓ字型婦人靴１は、まず、土踏まず部３から踵部４の足裏の湾曲形状にできるだけ沿わせつつ、さらに緩やかでかつ大きな弧（緩弧部１３）を踵部４の後部まで延ばした後傾形状の曲線を特徴の一つとして、この従来の重心位置１５を、土踏まず部３と踵部４の中間付近にまで移動させた配置（新重心位置１６）とする。次に、爪先部２は、一般的に爪先上がりと呼ばれるトウスプリング１０とし、上記曲線と一体的に連続させてＳ字形状の基本曲線を形成する。【選択図】図１
0003135875.tif 000002
【実用新案登録請求の範囲】
【請求項１】
ハイヒール等の踵を一定の高さとする婦人靴において、着用者の爪先部の先端から踵部の後部付近までの足裏全ての湾曲形状にできるだけ沿わせるようにして、着用者の重心が土踏まず部と踵部の中間付近に配置されるようにＳ字形状の中底（本底、シャンク等を含む。以下略。）を用いたことを特徴とする婦人靴。
【請求項２】
着用者の土踏まず部の前部から踵部の中央部付近までの湾曲形状の弧を、そのまま踵部の後部付近まで延長させたＳ字形状の中底として、踵部を後傾形状としたことを特徴とする請求項１記載の婦人靴。
【請求項３】
内側接足部がＳ字形状の曲線となるように、請求項２記載のＳ字形状と、一般的に爪先上がりと呼ばれるトウスプリングを一体的に連続させた中底としたこと特徴とする請求項１記載の婦人靴。
【請求項４】
請求項３において、着用者の重心が土踏まず部と踵部の中間付近に位置するように、土踏まず部の中央部から踵部の中央部付近までの湾曲形状を、より緩やかであって、かつ大きめの弧としたＳ字形状の曲線をもつ中底としたことを特徴とする請求項１記載の婦人靴。
【請求項５】
請求項３あるいは請求項４において、土踏まず部の中央部から踵部中央部付近までの膨らみ部と、爪先部から土踏まず部までの荷重集中部（アッパー部分の内側も含む。以下略。）に、衝撃吸収材（低反発ウレタン、クッション、不織布などを言い、以下略。）を用い、その厚みは、例えば着用者の重心位置の部分を最も厚くする等の調整を要したことを特徴とする請求項１記載の婦人靴。
【請求項６】
請求項２あるいは請求項３あるいは請求項４において、踵部の後部をアキレス腱方向の上方に向かって湾曲させた形状を有する中底としたことを特徴とする請求項１記載の婦人靴。
【請求項７】
請求項２において、本底及びシャンクの形状等を、その後傾形状とした部分に沿わせた形状等に形成したことを特徴とする請求項１記載の婦人靴。
【考案の詳細な説明】
【技術分野】
【０００１】  本考案は、従来の婦人靴、特にハイヒール等の踵を一定の高さとする婦人靴において、着用者の重心が足指の付け根付近にあって体重等が過度に集中する形状となっていることで発生する、外反母趾等の骨格変形、血行障害、腰痛の予防あるいは改善、及びアキレス腱の保護等を目的とした婦人靴に関するものである。
【背景技術】
【０００２】  特許文献１は、「従来のハイヒール靴は、着用者の足が傾斜面の上に置かれ、その上で足は、立つまたは歩く際に重力によってつま先空間内へと前方に押し出され、結果としてつま先部の外反母趾等の痛みや疲労が生じる」としている。【０００３】  その対策として、従来のハイヒール靴のインソールの上、または中敷の下に取り付ける装置（発明の名称：ハイヒール靴用装置）を提案している。【０００４】  これは、同文献１の発明者が先に特許出願（特許文献２）した「（土踏まず平面に対して）下方向に僅かに傾斜した角度を有するかかとシートと、かかとシートから前方に延びる土踏まず支持部とを備える靴の構造を持ち、（中略）靴の構成要素として固定された剛性に形成された装置を備える。」ものから、剛性をはずしたものである。【０００５】  要するに、かかとシートとその延長部である土踏まず支持部の輪郭を組み合わせ、土踏まず部の傾斜に凸状を２カ所設けて滑り防止を図るといった取付可能な装置である。【０００６】  また、かかとシートに一部凹みを有し、それを土踏まず支持部と組み合わせて爪先まで延びた形状を持ち、「かかとは基面に対してほぼ平行またはわずかに後傾するように配置及び担時される」ようにしている。【０００７】  その効果は、着用者の体重のうち、かかとシートによって担時及び支持される割合が従来のハイヒール靴の場合よりも僅かに高くなるというものである。
【特許文献１】特許公報２００６−５２４１０７
【特許文献２】特許公報２００１−５２３９８１
【考案の開示】
【考案が解決しようとする課題】
【０００８】  従来の婦人靴、特にハイヒール等の踵を一定の高さとする婦人靴は、内側接足部が着用者の足裏の湾曲形状に沿う曲面とはなっておらず、また着用者の重心が足指の付け根付近にあって体重等を過度に集中させる形状となっている。【０００９】  このため、着用者は外反母趾や内反小趾といった足骨の骨格変形のほかに、足爪変形、血行障害及び腰痛といった苦痛を受けるだけでなく、さらに踵を一定の高さに持ち上げる構造のため、長時間の着用ではアキレス腱が圧縮されたまま硬直してアキレス腱自体が脆くなり、他の靴を着用する場合にも歩行困難となる。【００１０】  また、上述の文献は爪先方向への滑り防止を目的とした発明であるため、その形状では、重心位置の移動が僅かとなり、ハイヒール等のように踵が高くなれば、結局は足指の付け根付近に体重等を過度に集中させる状況を改善できない。【００１１】  しかも、取付可能となる装置では、長時間着用すれば足裏のフィット感や履き心地が低下することは明らかである。【００１２】  本考案は、このような課題に対し、着用者の体重等が極端に爪先方向に移動及び集中しないよう、その根本的解決を図るために着用者の重心位置に着目して改善するもので、それによって滑る防止が図られ、結果として着用者の外反母趾等の骨格変形、血行障害、腰痛の予防あるいは改善、及びアキレス腱の保護等を目的とするものである。
【課題を解決するための手段】
【００１３】  すなわち、本考案は、ハイヒール等の踵を一定の高さとする婦人靴において、着用者の爪先部の先端から踵部の後部までの足裏全ての湾曲形状にできるだけ沿わせ、着用者の重心が土踏まず部と踵部の中間付近に位置するように内側接足部をＳ字形状の曲線とするものである。【００１４】  まず、内側接足部がＳ字形状の曲線となるように、着用者の土踏まず部の前部付近から踵部の中央部付近までの湾曲形状の弧の形状を、そのまま踵部の後部まで延長させるように中底を形成する。この踵部の後部を明確に後傾形状としたことで、着用者の重心位置を足指の付け根付近から足裏の後半部分に移動あるいは配置可能となる。【００１５】  そして、土踏まず部の前部付近から爪先部の先端部までの湾曲形状に沿って中底を形成（一般的にはトウスプリング（つま先上がり）と呼ばれる。）し、これらを一体的に連続させることで、着用者の足裏の湾曲形状に沿ったＳ字曲線の基本形状が形成される。【００１６】  次に、同Ｓ字形状の曲線において、着用者の土踏まず部の前部付近から踵部の中央部付近までの湾曲形状をより緩やかで、かつ大きめの弧の形状とする。【００１７】  その際、土踏まず部の中央部から踵部の中央部までの膨らみ部には、衝撃吸収材（低反発ウレタン、クッション、不織布などを言い、以下略。）を用い、その厚みは、例えば着用者の重心位置の部分を最も厚くする等の調整を要する。【００１８】  また、爪先部の中央部から土踏まず部の前部付近までの荷重集中部においても、衝撃吸収材の厚さを調整しながら用いる。例えば、爪先部と土踏まず部の中間付近（あるいは足指の付け根部分）で最も厚くなるような滑らかな調整を要する。【００１９】  なお、正確には、踵部の後部はアキレス腱の上方に向かって湾曲しているので、この部分を加えると波形曲線となるが、本考案ではこの場合も含めてＳ字形状の曲線とする。
【考案の効果】
【００２０】  本考案によって、着用者の重心が、従来の足指の付け根付近から土踏まず部と踵部の中間付近に移動することで、足指の付け根付近への過度の体重負担が緩和され、足の機能を回復させることができる。【００２１】  その結果、着用者の外反母趾等の骨格変形、血行障害等が防止あるいは改善されることとなり、かつアキレス腱の硬直化等も予防されることとなる。【００２２】  さらに、着用者の立つ時の足裏３点での安定感が増すだけでなく、歩行時においても踵部から爪先部へのスムースな重心移動（一般に「あおり歩行」と言われる。）が図られる。【００２３】  次に、土踏まず部から踵部までの膨らみ部と、爪先部の後部から土踏まず部の前部付近へ衝撃吸収材を用いたことで、着用者の足のアーチ機能を保全することとなり、かつ足裏のフィット感や履き心地が改善される。
【考案を実施するための最良の形態】
【００２４】  以下、本考案の一実施例の形態を添付図面に基づいて説明する。【００２５】  本図面は本考案のＳ字型婦人靴１の側面図である。このＳ字型婦人靴１について、爪先部２、土踏まず部３、踵部４の三区分とする。【００２６】  まず、従来の婦人靴における重心位置（従来の重心位置１５）は、爪先部３と土踏まず部４の中間付近にあった。これは、踵を一定の高さとするため、自ずと爪先立ち状態となり、その結果、着用者の重心線と爪先立ち状態の足がほぼ同一直線上に近くなることから生じている。【００２７】  そこで、本考案のＳ字型婦人靴１は、まず、土踏まず部３から踵部４の足裏の湾曲形状にできるだけ沿わせつつ、さらに緩やかでかつ大きな弧（緩弧部１３）を踵部４の後部まで延ばした後傾形状の曲線を特徴の一つとして、この従来の重心位置１５を、土踏まず部３と踵部４の中間付近にまで移動させた配置（新重心位置１６）とする。【００２８】  次に、爪先部２は、一般的に爪先上がりと呼ばれるトウスプリング１０とし、上記曲線と一体的に連続させて本考案のＳ字形状の基本曲線を形成する。【００２９】  このとき、本底５、シャンク７及び中底６等を一体的に連続させなければＳ字形状の曲線は形成されない。なお、シャンク７については、従来のものより踵部４での後傾形状に沿わせた延長シャンク等の形成を必要とする。【００３０】  また、土踏まず部３の中央部から踵部４の中央部付近までの膨らみ部１２を、衝撃吸収材１４を用いて、新重心位置１６付近がもっとも厚くなるように形成する。【００３１】  さらに、爪先部２の後部から土踏まず部３の前部までの荷重集中部１７においても、膨らみ部１２と同様の衝撃吸収材１４を用いて緩和する。【００３２】  なお、ヒールカーブ９の内側は、上記Ｓ字形状の曲線によって従来の婦人靴の深さより深く形成され、踵部４のアキレス腱方向に延びる部分についても必要に応じて形成する。【００３３】  以上の形態によって、本考案のＳ型婦人靴１は、着用者の重心位置を足裏の後半部に移動させることで足の機能を回復させ、より安定した直立や歩行を可能として上述した考案の効果に記述したとおりの効果が得られることとなる。
【図面の簡単な説明】
【００３４】
【図１】  本考案のＳ字型婦人靴の一実施例を示す側面図である。
【符号の説明】
【００３５】１    Ｓ字型婦人靴
２    爪先部
３    土踏まず部
４    踵部
５    本底
６    中底
７    シャンク
８    ヒール
９    ヒールカーブ
１０  トウスプリング
１１  アッパー
１２  膨らみ部
１３  緩弧部
１４  衝撃吸収材
１５  従来の重心位置
１６  新重心位置
１７  荷重集中部
【図１】
0003135875.tif 000003